【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
少なくとも１つの拍動検出センサーを有する生体反応記録装置において、
前記生体反応記録装置は、生体の心尖拍動と右室拍動と左房拍動のうちの少なくとも１種類の拍動としての心拍動あるいは上行大動脈拍動あるいは肺動脈（肺動脈幹と中枢側肺動脈の少なくとも一方を含む）拍動あるいは腹部大動脈拍動あるいは肝拍動のうちの少なくとも１つの拍動図を作成することができる測定値を波動の反射の測定結果として検出することができる新規の生体反応記録装置であり、
少なくとも１つの前記拍動の検出部位の動きを、生体の圧力変化及び／又は波動の反射情報を利用して測定する圧力センサー及び／又は反射波動検出センサーと、測定されたデータを基に生体反応情報（以下、生体情報という）を検出することができる演算処理部等のデータ処理手段と、測定されたデータの少なくとも主要部分とデータ処理手段を用いて検出された生体情報あるいはデータ処理手段を用いて処理された情報あるいは処理途中の情報などのデータ（以下、データ処理手段を用いて検出された生体情報あるいはデータ処理手段を用いて処理された情報あるいは処理途中の情報などのデータを検出データという）のうちの少なくとも一種類を記憶することができる記憶手段を有しているとともに、
前記圧力センサー及び／又は反射波動検出センサーは測定部位の複数箇所の測定データを区別して測定することができる複数の検出センサーあるいは複数の検出部を有する検出センサー部から構成されており、
前記圧力センサー及び／又は反射波動検出センサーは測定する１つの拍動に関して生体の圧力変化及び／又は反射情報をそれぞれ測定することができ、
前記記憶手段は前記複数箇所の測定データの少なくとも主要部分と前記検出データの少なくとも一部を記憶することができることを特徴とする生体反応記録装置であって、
前記生体反応記録装置の前記圧力センサー及び／又は反射波動検出センサーの拍動を測定する主要部を配置してある部分を生体反応記録装置の第１の部分ということにし、前記圧力センサー及び／あるいは反射波動検出センサーの主要部を配置していない部分を生体反応記録装置の第２の部分とそれぞれいうことにして、
前記生体反応記録装置は、
第１の部分を被測定生体の被測定位置に配置し、生体反応記録装置の第２の部分を前記第１の部分の配置位置とは異なる位置に配置するように構成されていることを特徴とする生体反応記録装置。
【請求項２】
少なくとも１つの拍動検出センサーを有する生体反応記録装置において、
前記生体反応記録装置は、生体の心尖拍動図を作成することができる測定値を圧力変化及び／あるいは波動の反射情報の測定結果として検出することができる新規の生体反応記録装置で、少なくとも１つの前記拍動の検出部位の動きを、圧力変化として測定することができる圧力センサー及び／あるいは波動の反射情報を利用して測定する圧力及び／あるいは反射検出センサーと、
測定された信号等の増幅手段と、
測定されたデータを基に生体反応情報（以下、生体情報という）を検出することができる演算処理部等のデータ処理手段と、
測定されたデータの少なくとも主要部分とデータ処理手段を用いて検出された生体情報あるいはデータ処理手段を用いて処理された情報あるいは処理途中の情報などのデータのうちの少なくとも一つを記憶することができる記憶手段（以下、データ処理手段を用いて検出された生体情報あるいはデータ処理手段を用いて処理された情報あるいは処理途中の情報などのデータを検出データという）を有しているとともに、
前記圧力センサー及び／あるいは反射検出センサーは測定部位の複数箇所の測定データを区別して測定することができる複数の検出センサーあるいは複数の検出部を有する検出センサー部から構成されており、
前記圧力センサー及び／あるいは反射検出センサーは前記測定する１つの拍動に関して生体の圧力及び／あるいは反射情報をそれぞれ測定することができ、前記記憶手段は前記複数箇所の測定データの少なくとも主要部分と前記検出データの少なくとも一方を記憶することができることを生体反応記録装置であり、
前記生体反応記録装置の前記圧力センサー及び／又は反射波動検出センサーの拍動を測定する主要部を配置してある部分を生体反応記録装置の第１の部分ということにし、前記圧力センサー及び／あるいは反射波動検出センサーの主要部を配置していない部分を生体反応記録装置の第２の部分とそれぞれいうことにして、
前記圧力センサー及び／あるいは反射検出センサーによって測定した測定データと前記検出データの少なくとも一方に基づいて判定した健康状態を、健康、要注意１，要注意２，危険などの被測定生体の健康レベルを示唆する表示を、第１の部分及び／又は第２の部分に表示又は出力する手段を有することを特徴とする生体反応記録装置。
【請求項３】
請求項１または２に記載の生体反応記録装置が、
前記生体反応記録装置の前記圧力センサー及び／又は反射波動検出センサーの拍動を測定する主要部を配置してある部分を生体反応記録装置の第１の部分ということにし、前記圧力センサー及び／あるいは反射波動検出センサーの主要部を配置していない部分を生体反応記録装置の第２の部分とそれぞれいうことにして、
前記第１の部分を被測定生体の拍動測定部位の近傍とし、前記第２の部分を被測定生体外とすることを特徴とする生体反応記録装置。
【請求項４】
請求項１〜３のいずれか１項に記載の生体反応記録装置において、生体反応記録装置の第１の部分と第２の部分は無線通信及び／又は有線通信で情報伝達を行うように構成したことを特徴とする生体反応記録装置。
【請求項５】
請求項１〜４のいずれか１項に記載の生体反応記録装置において、複数の圧力センサー及び／あるいは反射波動検出センサーの各少なくとも一部が、２次元に配置されていることを特徴とする生体反応記録装置。
【請求項６】
請求項１〜５のいずれか１項に記載の生体反応記録装置において、複数の圧力センサー及び／あるいは反射波動検出センサーの各少なくとも一部が、３次元に配置されていることを特徴とする生体反応記録装置。
【請求項７】
請求項１〜６のいずれか１項に記載の生体反応記録装置において、拍動測定用のセンサー
と心電図測定用のセンサーと心音図測定用のセンサーの各少なくとも一部が同一パッケ−ジに配置されていることを特徴とする生体反応記録装置。
【手続補正２】
【補正対象書類名】明細書
【補正対象項目名】０１６０
【補正方法】変更
【補正の内容】
【０１６０】
本分割出願における請求項を新請求項ということにし、平成２７年０２月１９日に出願した前分割出願（特願２０１５−０３０３７６）の請求項を原出願の請求項ということにし、平成２６年７月２４日に出願した旧分割出願（特願２０１３−１５３２８７）の請求項を元出願の請求項ということにすると、旧分割出願の元出願の請求項として２０項、前分割出願の請求項として６項、本分割出願においては、課題を解決するのに効果のある新請求項として、次の新請求項１〜７の７項目をそれぞれ提案した。
新請求項１の生体反応記録装置は、少なくとも１つの拍動検出センサーを有する生体反応記録装置において、
前記生体反応記録装置は、生体の心尖拍動と右室拍動と左房拍動のうちの少なくとも１種類の拍動としての心拍動あるいは上行大動脈拍動あるいは肺動脈（肺動脈幹と中枢側肺動脈の少なくとも一方を含む）拍動あるいは腹部大動脈拍動あるいは肝拍動のうちの少なくとも１つの拍動図を作成することができる測定値を波動の反射の測定結果として検出することができる新規の生体反応記録装置であり、
少なくとも１つの前記拍動の検出部位の動きを、生体の圧力変化及び／又は波動の反射情報を利用して測定する圧力センサー及び／又は反射波動検出センサーと、測定されたデータを基に生体反応情報（以下、生体情報という）を検出することができる演算処理部等のデータ処理手段と、測定されたデータの少なくとも主要部分とデータ処理手段を用いて検出された生体情報あるいはデータ処理手段を用いて処理された情報あるいは処理途中の情報などのデータ（以下、データ処理手段を用いて検出された生体情報あるいはデータ処理手段を用いて処理された情報あるいは処理途中の情報などのデータを検出データという）のうちの少なくとも一種類を記憶することができる記憶手段を有しているとともに、
前記圧力センサー及び／又は反射波動検出センサーは測定部位の複数箇所の測定データを区別して測定することができる複数の検出センサーあるいは複数の検出部を有する検出センサー部から構成されており、
前記圧力センサー及び／又は反射波動検出センサーは測定する１つの拍動に関して生体の圧力変化及び／又は反射情報をそれぞれ測定することができ、
前記記憶手段は前記複数箇所の測定データの少なくとも主要部分と前記検出データの少なくとも一部を記憶することができることを特徴とする生体反応記録装置であって、
前記生体反応記録装置の前記圧力センサー及び／又は反射波動検出センサーの拍動を測定する主要部を配置してある部分を生体反応記録装置の第１の部分ということにし、前記圧力センサー及び／あるいは反射波動検出センサーの主要部を配置していない部分を生体反応記録装置の第２の部分とそれぞれいうことにして、
前記生体反応記録装置は、
第１の部分を被測定生体の被測定位置に配置し、生体反応記録装置の第２の部分を前記第１の部分の配置位置とは異なる位置に配置するように構成されていることを特徴とする生体反応記録装置である。
新請求項２の生体反応記録装置は、少なくとも１つの拍動検出センサーを有する生体反応記録装置において、
前記生体反応記録装置は、生体の心尖拍動図を作成することができる測定値を圧力変化及び／あるいは波動の反射情報の測定結果として検出することができる新規の生体反応記録装置で、少なくとも１つの前記拍動の検出部位の動きを、圧力変化として測定することができる圧力センサー及び／あるいは波動の反射情報を利用して測定する圧力及び／あるいは反射検出センサーと、
測定された信号等の増幅手段と、
測定されたデータを基に生体反応情報（以下、生体情報という）を検出することができる演算処理部等のデータ処理手段と、
測定されたデータの少なくとも主要部分とデータ処理手段を用いて検出された生体情報あるいはデータ処理手段を用いて処理された情報あるいは処理途中の情報などのデータのうちの少なくとも一つを記憶することができる記憶手段（以下、データ処理手段を用いて検出された生体情報あるいはデータ処理手段を用いて処理された情報あるいは処理途中の情報などのデータを検出データという）を有しているとともに、
前記圧力センサー及び／あるいは反射検出センサーは測定部位の複数箇所の測定データを区別して測定することができる複数の検出センサーあるいは複数の検出部を有する検出センサー部から構成されており、
前記圧力センサー及び／あるいは反射検出センサーは前記測定する１つの拍動に関して生体の圧力及び／あるいは反射情報をそれぞれ測定することができ、前記記憶手段は前記複数箇所の測定データの少なくとも主要部分と前記検出データの少なくとも一方を記憶することができることを生体反応記録装置であり、
前記生体反応記録装置の前記圧力センサー及び／又は反射波動検出センサーの拍動を測定する主要部を配置してある部分を生体反応記録装置の第１の部分ということにし、前記圧力センサー及び／あるいは反射波動検出センサーの主要部を配置していない部分を生体反応記録装置の第２の部分とそれぞれいうことにして、
前記圧力センサー及び／あるいは反射検出センサーによって測定した測定データと前記検出データの少なくとも一方に基づいて判定した健康状態を、健康、要注意１，要注意２，危険などの被測定生体の健康レベルを示唆する表示を、第１の部分及び／又は第２の部分に表示又は出力する手段を有することを特徴とする生体反応記録装置である。
新請求項３の生体反応記録装置は、新請求項１または２に記載の生体反応記録装置が、
前記生体反応記録装置の前記圧力センサー及び／又は反射波動検出センサーの拍動を測定する主要部を配置してある部分を生体反応記録装置の第１の部分ということにし、前記圧力センサー及び／あるいは反射波動検出センサーの主要部を配置していない部分を生体反応記録装置の第２の部分とそれぞれいうことにして、
前記第１の部分を被測定生体の拍動測定部位の近傍とし、前記第２の部分を被測定生体外とすることを特徴とする生体反応記録装置である。
新請求項４の生体反応記録装置は、新請求項１〜３のいずれか１項に記載の生体反応記録装置において、生体反応記録装置の第１の部分と第２の部分は無線通信及び／又は有線通信で情報伝達を行うように構成したことを特徴とする生体反応記録装置である。
新請求項５の生体反応記録装置は、新請求項１〜４のいずれか１項に記載の生体反応記録装置において、複数の圧力センサー及び／あるいは反射波動検出センサーの各少なくとも一部が、２次元に配置されていることを特徴とする生体反応記録装置である。
新請求項６の生体反応記録装置は、新請求項１〜５のいずれか１項に記載の生体反応記録装置において、複数の圧力センサー及び／あるいは反射波動検出センサーの各少なくとも一部が、３次元に配置されていることを特徴とする生体反応記録装置である。
新請求項７の生体反応記録装置は、新請求項１〜６のいずれか１項に記載の生体反応記録装置において、拍動測定用のセンサーと心電図測定用のセンサーと心音図測定用のセンサーの各少なくとも一部が同一パッケ−ジに配置されていることを特徴とする生体反応記録装置である。
原請求項１に記載の生体反応記録方法は、構成した生体反応記録装置に用いる生体反応記録方法であって、
前記生体反応記録装置は、生体の心尖拍動と右室拍動と左房拍動のうちの少なくとも１種類の拍動としての心拍動あるいは上行大動脈拍動あるいは肺動脈（肺動脈幹と中枢側肺動脈の少なくとも一方を含む）拍動あるいは腹部大動脈拍動あるいは肝拍動のうちの少なくとも１つの拍動図を作成することができる測定値を波動の反射の測定結果として検出することができる新規の生体反応記録装置で、少なくとも１つの前記拍動の検出部位の動きを、波動の反射波動を利用して測定する反射波動検出センサーと測定されたデータを基に生体反応情報（以下、生体情報という）を検出することができる演算処理部等のデータ処理手段と測定されたデータの少なくとも主要部分とデータ処理手段を用いて検出された生体情報あるいはデータ処理手段を用いて処理された情報あるいは処理途中の情報などのデータ（以下、データ処理手段を用いて検出された生体情報あるいはデータ処理手段を用いて処理された情報あるいは処理途中の情報などのデータを検出データという）のうちの少なくとも一種類を記憶することができる記憶手段を有しているとともに、前記反射検出センサーは測定部位の複数箇所の測定データを区別して測定することができる複数の検出センサーから構成されており、前記反射検出センサーは前記測定する１つの拍動に関して生体の反射情報をそれぞれ測定することができ、前記記憶手段は前記複数箇所の測定データの少なくとも主要部分と前記検出データの少なくとも一方を記憶することができることを特徴とする生体反応記録装置であり、
前記生体反応記録方法は、少なくとも１つの拍動図を作成することができる拍動の測定値を波動の反射の測定結果として検出することができる反射波動検出センサーを配置する工程と、
前記反射波動検出センサーによって測定した測定データと前記検出データの少なくとも一方に基づいて検出した被測定生体の健康状態を判定する工程と、
判定した被測定生体の健康状態を出力する工程
を有することを特徴とする生体反応記録方法である。
原請求項２に記載の生体反応記録方法は、構成した生体反応記録装置に用いる生体反応記録方法であって、
前記生体反応記録装置は、生体の心尖拍動図を作成することができる測定値を圧力変化及び／あるいは波動の反射の測定結果として検出することができる新規の生体反応記録装置で、少なくとも１つの前記拍動の検出部位の動きを、圧力変化として測定することができる圧力センサー及び／あるいは波動の反射を利用して測定する反射検出センサーと測定された信号等の増幅手段と測定されたデータを基に生体反応情報（以下、生体情報という）を検出することができる演算処理部等のデータ処理手段と測定されたデータの少なくとも主要部分とデータ処理手段を用いて検出された生体情報あるいはデータ処理手段を用いて処理された情報あるいは処理途中の情報などのデータのうちの少なくとも一方を記憶することができる記憶手段（以下、データ処理手段を用いて検出された生体情報あるいはデータ処理手段を用いて処理された情報あるいは処理途中の情報などのデータを検出データという）を有しているとともに、前記圧力センサー及び／あるいは反射検出センサーは測定部位の複数箇所の測定データを区別して測定することができる複数の検出センサーから構成されており、前記圧力センサー及び／あるいは反射検出センサーは前記測定する１つの拍動に関して生体の圧力及び／あるいは反射情報をそれぞれ測定することができ、前記記憶手段は前記複数箇所の測定データの少なくとも主要部分と前記検出データの少なくとも一方を記憶することができることを特徴とする生体反応記録装置であり、
前記生体反応記録方法は、
少なくとも１つの拍動図を作成することができる拍動の測定値を波動の反射の測定結果として検出することができる反射波動検出センサーを配置する工程と、
前記反射波動検出センサーによって測定した測定データと前記検出データの少なくとも一方に基づいて検出した被測定生体の健康状態を判定する工程と、
判定した被測定生体の健康状態を出力する工程
を有することを特徴とする生体反応記録方法である。
原請求項３に記載の生体反応記録方法は、原請求項２に記載の生体反応記録方法が、
心尖拍動図に関する特徴点を、１拍動期間において、心音図から２音（大動脈弁閉鎖音）を同定し、心尖拍動図波形において、時間軸(横軸)方向で、２音より前に存在し、２音との間隔が５０ｍｓｅｃ未満の２音に最も近い陽性極値をＳ点とし、心電図のＱＲＳ波の頂点付近に陰性極値が存在するときはその陰性極値点をＣ点とし、心電図のＱＲＳ波の頂点付近に陰性極値がない場合は、心電図のＲから垂線を下ろし、その垂線と心尖拍動図波形が交わった点をＣ点とし、左房収縮による陽性波であるＡ波の陽性極値をＡ点とし、Ａ波が陽性極値を持たず、持続的に上昇し、後述のＣ点にまで至る場合は、Ｃ点をＡ点とみなすものとし、Ｃ点から１５０ｍｓｅｃ未満後の陽性極値をＥ点とし、Ｅ点もＳ点も存在しないときにＣ点から１５０ｍｓｅｃ以上遅れて、かつ、心音図の２音から５０ｍｓｅｃ以上前に存在する陽性極値をＰ点とし、２音から５０ｍｓｅｃ以上後で、心尖拍動図の最初の陰性極値をＯ点とし、Ｏ点から後に存在し、Ｏ点から１５０ｍｓｅｃ未満の最初の陽性極値をＦ点とし、左房収縮による陽性波をＡ波とし、左室収縮期波をＥ波とし、急速流入波をＦ波とし、心尖拍動図の一次微分波形におけるＡ波、Ｅ波およびＦ波の陽性ピーク値をそれぞれａ点、ｅ点、ｆ点とし、心尖拍動図波形の振幅軸（縦軸）を最小値を０ポイント，最大値を１０００ポイントに正規化した状態において、
前記生体反応記録方法は、
前記特徴点の少なくとも１つの存在有無を判定する工程を有しているとともに、さらに、
Ａ点の高さが３００ポイント未満であるか３００ポイント以上であるかを判定する判定手段と、
Ｃ点の高さが３００ポイント未満であるか３００ポイント以上であるかを判定する判定手段と、
ａ点の高さがｅ点の４分の１未満であるか、４分の１以上で、かつ、２分の１未満であるか、２分の１以上であるかを判定する判定手段と、
Ｆ点の高さが５０ポイント未満であるか、５０ポイント以上で、かつ、２００ポイント未満であるか、２００ポイント以上であるかを判定する判定手段と、
ｆ点の高さがｅ点の２分の１未満であるか、２分の１以上で、かつ、３分の２未満であるか、３分の２以上であるかを判定する判定手段と、
Ｆ波にオーバーシュートがあるか否かを判定する判定手段とするとき、
前記生体反応記録方法はさらに、
前記各判定手段のうちの少なくとも一つの判定手段を被測定生体の健康状態を判定する工程として有することを特徴とする生体反応記録方法である。
原請求項４に記載の生体反応記録方法は、原請求項１〜３のいずれか１項に記載の生体反応記録方法において、前記判定した被測定生体の健康状態を出力する工程に、前記判定情報を健康、要注意１，要注意２，危険などの被測定生体の健康レベルを示唆する表示手段又は出力手段用いることを特徴とする生体反応記録方法である。
原請求項５に記載の生体反応記録方法は、原請求項１〜４のいずれか１項に記載の生体反応記録方法が、前記生体反応記録装置の前記圧力センサー及び／あるいは反射検出センサーを配置してある部分を生体反応記録装置の第１の部分とし、前記圧力センサー及び／あるいは反射検出センサーを配置していない部分を生体反応記録装置の第２の部分とそれぞれいうことにして、生体反応記録方法が生体反応記録装置の第１の部分を被測定生体の被測定部分に配置し、前記第２の部分をそれ以外の部分に配置する工程を設けたことを特徴とする生体反応記録方法である。
原請求項６に記載の生体反応記録装置は、原請求項１〜５のいずれか１項に記載の生体反応記録装置が、生体反応記録装置の第１の部分を被測定生体の被測定位置に配置し、生体反応記録装置の第２の部分を前記第１の部分の配置位置とは異なる位置に配置し、生体反応記録装置の第１の部分と第２の部分は無線通信及び／又は有線通信で情報伝達を行う用に構成したことを特徴とする生体反応記録装置である。
旧分割出願においては、課題を解決するのに効果のある元出願の請求項として、次の元出願の請求項１〜２０の２０項目を提案した。
元出願の請求項１に記載の生体反応記録装置は、生体の心尖拍動図を作成することができる測定値を圧力変化及び／あるいは波動の反射の測定結果として検出することができる新規の生体反応記録装置であって、前記生体反応記録装置は、少なくとも１つの前記拍動の検出部位の動きを、圧力変化として測定することができる圧力センサー及び／あるいは波動の反射を利用して測定する反射検出センサーと測定された信号等の増幅手段と測定されたデータを基に生体反応情報（以下、生体情報ともいう）を検出することができる演算処理部等のデータ処理手段と測定されたデータの少なくとも主要部分とデータ処理手段を用いて検出された生体情報あるいはデータ処理手段を用いて処理された情報あるいは処理途中の情報などのデータのうちの少なくとも一方を記憶することができる記憶手段（以下、データ処理手段を用いて検出された生体情報あるいはデータ処理手段を用いて処理された情報あるいは処理途中の情報などのデータを検出データともいう）と表示手段を有しているとともに、前記圧力センサー及び／あるいは反射検出センサーは測定部位の複数箇所の測定データを区別して測定することができる複数の検出センサーから構成されており、前記圧力センサー及び／あるいは反射検出センサーは前記測定する１つの拍動に関して生体の圧力及び／あるいは反射情報をそれぞれ測定することができ、前記記憶手段は前記複数箇所の測定データの少なくとも主要部分と前記検出データの少なくとも一方を記憶することができることを特徴とする生体反応記録装置において、
心尖拍動図に関する特徴点を、１拍動期間において、心音図から２音（大動脈弁閉鎖音）を同定し、心尖拍動図波形において、時間軸(横軸)方向で、２音より前に存在し、２音との間隔が５０ｍｓｅｃ未満の２音に最も近い陽性極値をＳ点とし、心電図のＱＲＳ波の頂点付近に陰性極値が存在するときはその陰性極値点をＣ点とし、心電図のＱＲＳ波の頂点付近に陰性極値がない場合は、心電図のＲから垂線を下ろし、その垂線と心尖拍動図波形が交わった点をＣ点とし、左房収縮による陽性波であるＡ波の陽性極値をＡ点とし、Ａ波が陽性極値を持たず、持続的に上昇し、後述のＣ点にまで至る場合は、Ｃ点をＡ点とみなすものとし、Ｃ点から１５０ｍｓｅｃ未満後の陽性極値をＥ点とし、Ｅ点もＳ点も存在しないときにＣ点から１５０ｍｓｅｃ以上遅れて、かつ、心音図の２音から５０ｍｓｅｃ以上前に存在する陽性極値をＰ点とし、２音から５０ｍｓｅｃ以上後で、心尖拍動図の最初の陰性極値をＯ点とし、Ｏ点から後に存在し、Ｏ点から１５０ｍｓｅｃ未満の最初の陽性極値をＦ点とし、左房収縮による陽性波をＡ波とし、左室収縮期波をＥ波とし、急速流入波をＦ波とし、心尖拍動図の一次微分波形におけるＡ波、Ｅ波およびＦ波の陽性ピーク値をそれぞれａ点、ｅ点、ｆ点としたとき、心尖拍動図波形の振幅軸（縦軸）を最小値を０ポイント，最大値を１０００ポイントに正規化した状態において、
前記生体反応記録装置は、前記特徴点の少なくとも１つの存在有無を判定する手段を有しているとともに、さらに、
Ａ点の高さが３００ポイント未満であるか３００ポイント以上であるかを判定する判定手段と、
Ｃ点の高さが３００ポイント未満であるか３００ポイント以上であるかを判定する判定手段と、
ａ点の高さがｅ点の４分の１未満であるか、４分の１以上で、かつ、２分の１未満であるか、２分の１以上であるかを判定する判定手段と、
Ｆ点の高さが５０ポイント未満であるか、５０ポイント以上で、かつ、２００ポイント未満であるか、２００ポイント以上であるかを判定する判定手段と、
ｆ点の高さがｅ点の２分の１未満であるか、２分の１以上で、かつ、３分の２未満であるか、３分の２以上であるかを判定する判定手段と、
Ｆ波にオーバーシュートがあるか否かを判定する判定手段のうちの少なくとも一つの判定手段を有していることを特徴とする生体反応記録装置である。
元出願の請求項２に記載の生体反応記録装置は、生体の心尖拍動図を作成することができる測定値を圧力変化及び／あるいは波動の反射の測定結果として検出することができる新規の生体反応記録装置であって、前記生体反応記録装置は、少なくとも１つの前記拍動の検出部位の動きを、圧力変化として測定することができる圧力センサー及び／あるいは波動の反射を利用して測定する反射検出センサーと測定された信号等の増幅手段と測定されたデータを基に生体反応情報（以下、生体情報ともいう）を検出することができる演算処理部等のデータ処理手段と測定されたデータの少なくとも主要部分とデータ処理手段を用いて検出された生体情報あるいはデータ処理手段を用いて処理された情報あるいは処理途中の情報などのデータのうちの少なくとも一方を記憶することができる記憶手段（以下、データ処理手段を用いて検出された生体情報あるいはデータ処理手段を用いて処理された情報あるいは処理途中の情報などのデータを検出データともいう）と表示手段を有しているとともに、前記圧力センサー及び／あるいは反射検出センサーは測定部位の複数箇所の測定データを区別して測定することができる複数の検出センサーから構成されており、前記圧力センサー及び／あるいは反射検出センサーは前記測定する１つの拍動に関して生体の圧力及び／あるいは反射情報をそれぞれ測定することができ、前記記憶手段は前記複数箇所の測定データの少なくとも主要部分と前記検出データの少なくとも一方を記憶することができることを特徴とする生体反応記録装置において、
前記生体反応記録装置は前記特徴点の少なくとも２つの存在有無を判定する手段を有しているとともに、前記センサーの測定データとその処理データの少なくとも一方から雑音を除去する雑音処理手段をを有していることを特徴とする生体反応記録装置である。
元出願の請求項３に記載の生体反応記録装置は、生体の心尖拍動図を作成することができる測定値を圧力変化及び／あるいは波動の反射の測定結果として検出することができる新規の生体反応記録装置であって、前記生体反応記録装置は、少なくとも１つの前記拍動の検出部位の動きを、圧力変化として測定することができる圧力センサー及び／あるいは波動の反射を利用して測定する反射検出センサーと測定された信号等の増幅手段と測定されたデータを基に生体反応情報（以下、生体情報ともいう）を検出することができる演算処理部等のデータ処理手段と測定されたデータの少なくとも主要部分とデータ処理手段を用いて検出された生体情報あるいはデータ処理手段を用いて処理された情報あるいは処理途中の情報などのデータのうちの少なくとも一方を記憶することができる記憶手段（以下、データ処理手段を用いて検出された生体情報あるいはデータ処理手段を用いて処理された情報あるいは処理途中の情報などのデータを検出データともいう）と表示手段を有しているとともに、前記圧力センサー及び／あるいは反射検出センサーは測定部位の複数箇所の測定データを区別して測定することができる複数の検出センサーから構成されており、前記圧力センサー及び／あるいは反射検出センサーは前記測定する１つの拍動に関して生体の圧力及び／あるいは反射情報をそれぞれ測定することができ、前記記憶手段は前記複数箇所の測定データの少なくとも主要部分と前記検出データの少なくとも一方を記憶することができることを特徴とする生体反応記録装置において、
前記生体反応記録装置は前記特徴点の少なくとも２つの存在有無を判定する手段を有しているとともに、
測定されたデータの少なくとも主要部分からデータ処理手段を用いて検出された生体情報あるいはデータ処理手段を用いて処理された情報あるいは処理途中の情報などのデータ（以下、データ処理手段を用いて検出された生体情報あるいはデータ処理手段を用いて処理された情報あるいは処理途中の情報などのデータを検出データという）と対比する参照データを有していることを特徴とする生体反応記録装置である。
元出願の請求項４に記載の生体反応記録装置は、元出願の請求項３に記載の生体反応記録装置において、前記参照データを生体反応記録装置の外部から入力することができることを特徴とする生体反応記録装置である。
元出願の請求項５に記載の生体反応記録装置は、元出願の請求項３に記載の生体反応記録装置において、前記参照データを変更する手段を有していることを特徴とする生体反応記録装置である。
元出願の請求項６に記載の生体反応記録装置は、生体の心尖拍動図を作成することができる測定値を圧力変化及び／あるいは波動の反射の測定結果として検出することができる新規の生体反応記録装置であって、前記生体反応記録装置は、少なくとも１つの前記拍動の検出部位の動きを、圧力変化として測定することができる圧力センサー及び／あるいは波動の反射を利用して測定する反射検出センサーと測定された信号等の増幅手段と測定されたデータを基に生体反応情報（以下、生体情報ともいう）を検出することができる演算処理部等のデータ処理手段と測定されたデータの少なくとも主要部分とデータ処理手段を用いて検出された生体情報あるいはデータ処理手段を用いて処理された情報あるいは処理途中の情報などのデータのうちの少なくとも一方を記憶することができる記憶手段（以下、データ処理手段を用いて検出された生体情報あるいはデータ処理手段を用いて処理された情報あるいは処理途中の情報などのデータを検出データともいう）と表示手段を有しているとともに、前記圧力センサー及び／あるいは反射検出センサーは測定部位の複数箇所の測定データを区別して測定することができる複数の検出センサーから構成されており、前記圧力センサー及び／あるいは反射検出センサーは前記測定する１つの拍動に関して生体の圧力及び／あるいは反射情報をそれぞれ測定することができ、前記記憶手段は前記複数箇所の測定データの少なくとも主要部分と前記検出データの少なくとも一方を記憶することができることを特徴とする生体反応記録装置において、
前記生体反応記録装置は前記特徴点の少なくとも２つの存在有無を判定する手段を有しているとともに、
パターンマッチング技術を利用して判断情報を生成するデータ処理手段を有していることを特徴とする生体反応記録装置である。
元出願の請求項７に記載の生体反応記録装置は、元出願の請求項１〜６のいずれかに記載の生体反応記録装置において、少なくとも１つの前記拍動の検出部位の動きの圧力変化として測定されたデータの信号処理において、前記センサーの測定データを処理する信号処理回路のフィルタの遮断周波数あるいは時定数をパラメータ（以下、パラメータ１ともいう）として、同一もしくは同種の前記センサーの測定データに対して前記パラメータ１の値を異なる値にして測定データの信号処理を行った結果を前記生体の健康状態の診断情報に利用することを特徴とする生体反応記録装置である。
元出願の請求項８に記載の生体反応記録装置は、元出願の請求項１〜７のいずれかに記載の生体反応記録装置において、前記センサーの少なくとも被測定生体に接触する部分の形状が変形可能な状態に形成されていることを特徴とする生体反応記録装置である。
元出願の請求項９に記載の生体反応記録装置は、元出願の請求項１〜８のいずれかに記載の生体反応記録装置において、前記センサーの少なくとも被測定生体に接触する部分がフレキシブルに形成されていることを特徴とする生体反応記録装置である。
元出願の請求項１０に記載の生体反応記録装置は、元出願の請求項１〜９のいずれかに記載の生体反応記録装置において、前記生体反応記録装置は、前記センサーと被測定生体との間の接触圧力あるいは前記センサーを構成する少なくとも２つの各圧力検出素子もしくは各圧力検出部分と被測定生体との間の接触圧力の差の少なくとも一方を検出することができる接触圧検出手段を有していることを特徴とする生体反応記録装置である。
元出願の請求項１１に記載の生体反応記録装置は、元出願の請求項９または１０に記載の生体反応記録装置において、前記生体反応記録装置は、前記接触圧検出手段によって検出された接触圧力に対応して前記接触圧力を変える手段を有していることを特徴とする生体反応記録装置である。
元出願の請求項１２に記載の生体反応記録装置は、元出願の請求項１〜１１のいずれかに記載の生体反応記録装置において、前記生体反応記録装置は、前記センサーを被測定生体の測定部所での前記測定が可能な状態に被測定生体に装着する手段を有していることを特徴とする生体反応記録装置である。
元出願の請求項１３に記載の生体反応記録装置は、元出願の請求項１２に記載の生体反応記録装置において、前記センサーを被測定生体に装着する手段が吸引力を利用した手段であることを特徴とする生体反応記録装置である。
元出願の請求項１４に記載の生体反応記録装置は、元出願の請求項１２または１３に記載の生体反応記録装置において、前記センサーを被測定生体に装着する手段が粘着力を利用した手段であることを特徴とする生体反応記録装置である。
元出願の請求項１５に記載の生体反応記録装置は、元出願の請求項１〜１４のいずれかに記載の生体反応記録装置において、前記生体反応記録装置は前記測定データと検出データと生体の健康状態の診断情報の少なくとも１つを、静止画と動画の少なくとも一方としてリアルタイムで呈示することができる記録装置であることを特徴とする生体反応記録装置である。
元出願の請求項１６に記載の生体反応記録装置は、元出願の請求項１〜１５のいずれかに記載の生体反応記録装置において、前記生体反応記録装置は同一生体と複数生体の少なくとも一方の統計データを記憶する統計データ記憶手段を有していることを特徴とする生体反応記録装置である。
元出願の請求項１７に記載の生体反応記録装置は、元出願の請求項１〜１６のいずれかに記載の生体反応記録装置において、前記心尖拍動図もしくはその測定データが被測定生体の心電図と心音図と外部から入力したデータのいずれかに同期していることを特徴とする生体反応記録装置である。
元出願の請求項１８に記載の生体反応記録装置は、元出願の請求項１〜１７のいずれかに記載の生体反応記録装置において、前記拍動の振幅もしくは強度の分布を３次元の図形として及び／または３次元の図形の所定位置の断面図として表示することができることを特徴とする生体反応記録装置である。
元出願の請求項１９に記載の生体反応記録装置は、元出願の請求項１〜１８のいずれかに記載の生体反応記録装置において、前記センサーの圧力検出可能範囲はその外接円の直径が３０ｍｍ以上の範囲であることを特徴とする生体反応記録装置である。
元出願の請求項２０に記載の生体反応記録装置は、元出願の請求項１〜１８のいずれかに記載の生体反応記録装置において、前記拍動の振幅分布と強度分布のいずれか一方または双方を検出して表示する時の生体の被測定領域が少なくとも直径５ｍｍの円形の範囲であることを特徴とする生体反応記録装置である。
従来は、拍動を、被検者に前記のように防音室のような雑音の入りにくい環境に入ってもらい、胸部における代表点においてマイクロフォンを密着させた範囲の全体のあるいは平均的な値として測定して心尖拍動図を求め、その記録を紙に記録してきたが、これでは前記のように実際の診断に使えなかった。